(57)【要約】【課題】複数の塗布体を有する塗布体を簡易且つ正確に、しかも安価に製造することができるようにする。【解決手段】突条縁１８を突設する保持部８を有する第一塗布体１３及び軸部１１よりなる保持体１５と、別体の、該第一塗布体１３に一体に保持される外周面に凹溝を凹設する第二塗布体１４とから構成され、該保持体１５を、一体とすることで保持体１５を形成する、互いに連結部分１６を介して連結される独立した複数の保持体片１５’、１５’からなるものとするので、分離した保持体片に第二塗布体を保持部内に位置させて一体とすることで、第一塗布体の保持部内に別体の第二塗布体が保持させることができるものである。【選択図】図４
2014124224.tif 000002
【特許請求の範囲】
【請求項１】
保持部を有する第一塗布体及び軸部よりなる保持体と、別体の第二塗布体とから構成されるものであって、
該保持体は、少なくとも第一塗布体に有する保持部から軸部の長手方向後端に至るまで分離可能とし、
分離した軸部を一体として、該保持体の第一塗布体の有する保持部内に第二塗布体を保持させる
ことを特徴とする塗布体。
【請求項２】
上記保持体を、一体とすることで保持部を有する第一塗布体及び軸部を形成する、互いに連結部分を介して連結される独立した複数の保持体片からなるものとする
ことを特徴とする請求項１記載の塗布体。
【請求項３】
上記保持体の第一塗布体及び第二塗布体からなる塗布部の塗布面のうち少なくとも一方の塗布面の全面又は一部にフロッキー処理を施す
ことを特徴とする請求項１又は２に記載の塗布体。
【発明の詳細な説明】
【技術分野】
【０００１】
本願発明は、液状口紅、リップグロス、アイシャドウ、又はコンシーラーの他、部分美容液等の塗布に使用する塗布体に関する。
【背景技術】
【０００２】
従来、液状口紅、リップグロス、アイシャドウ、又はコンシーラー等の化粧料の塗布に使用する塗布体は、その塗布部が被塗布面に対して確実に密着できるように弾性を有するものとすべく、該塗布体を軟質樹脂、エラストマー又はゴム等の軟質材（以下、「軟質材」とする。）により軸部とともに一体成形してなるものがある。
【０００３】
しかしながら、上記塗布体は通常別体の保持軸に対して軸部を保持するものである。そのため、塗布部を被塗布面に対して密着させることで該塗布体に大きな負荷が加わっても、塗布体を構成する軸部及び塗布部において変形や折損等の不具合が発生することがないように、塗布体には最低限の硬度が必要とされるものである。
【０００４】
一方、塗布体の塗布部が塗布する被塗布面、及び該被塗布面に対して塗布する化粧料や部分美容液は非常に多種類である。すなわち、被塗布面が、例えば口唇等のように柔らかい部分では塗布部を柔軟にし、また頬等のように比較的硬い部分では塗布部をある程度強硬にする必要がある。さらに、塗布体によって塗布するものが、例えば睫毛美容液の場合には、被塗布面が睫毛であるため塗布部を極端に柔軟とする必要がある。従って、保持軸に保持される塗布体においては、軸部で必要とされる硬度と、塗布体における塗布部において必要とされる硬度が著しく相違してしまうことがある。
【０００５】
そこで、連結差込部（上記塗布体の「軸部」に相当する。）とベース部（上記塗布体の「塗布部」に相当する。）とから構成されるアプリケータ（上記塗布体に相当する。）において、該連結差込部とベース部との硬度を相違、すなわち連結差込部では硬く、またベース部では柔らかくした上で、該連結差込部とベース部とを射出成形により一体としてなるものが提案されている（特許文献１）。
【０００６】
ところが、アプリケータの製造において、連結差込部とベース部とを一体にするに際して射出成形により一体とするので、連結差込部の材質とベース部の材質との軟化温度差が大であると、連結差込部とベース部とのいずれかで変形が発生する恐れがある。したがって、一体とする連結差込部とベース部との材質において制限が生じるので、製品であるアプリケータにおける適用範囲が狭まってしまうものとなる。
【０００７】
そして、塗布体としての適用範囲を拡大するために、一つの塗布体内において複数の異なる材質からなる塗布体を有するものとしている。従って、このような塗布体においても上記アプリケータと同様に一体に製造することは非常に困難なものとなる。
【先行技術文献】
【特許文献】
【０００８】
【特許文献１】特許第４４１８７８６号公報
【発明の概要】
【発明が解決しようとする課題】
【０００９】
解決しようとする問題点は、多種多様の化粧料や部分美容液を、あらゆる被塗布面に対して適切に塗布できるように、複数の塗布体を有する塗布体を簡易且つ正確に、しかも安価に製造することができないという点である。
【課題を解決するための手段】
【００１０】
第１の特徴として、
保持部を有する第一塗布体及び軸部よりなる保持体と、別体の第二塗布体とから構成されるものであって、
該保持体は、少なくとも第一塗布体に有する保持部から軸部の長手方向後端に至るまで分離可能とし、
分離した軸部を一体として、該保持体の第一塗布体の有する保持部内に第二塗布体を保持させるものである。
【００１１】
そのため、保持体を少なくとも第一塗布体に有する保持部から軸部の長手方向後端に至るまで分離させることによって、該軸部も含めて第一塗布体内に有する保持部は拡大するので、保持部に対して別体の第二塗布体を容易に保持させられるものとなる。その結果、材質の異なる該第一塗布体及び第二塗布体を組み合わせた塗布体を簡易且つ正確に、しかも安価に製造することができる。さらに、多種多様の化粧料及び部分美容液を、あらゆる被塗布面に対して適切に塗布することができるようになるものである。
【００１２】
さらに、第１の特徴を踏まえて、第２の特徴として、
上記保持体を、一体とすることで保持部を有する第一塗布体及び軸部を形成する、互いに連結部分を介して連結される独立した複数の保持体片からなるものとするものである。
【００１３】
そのため、保持体の第一塗布体の保持部内において第二塗布体を保持させるにあたっては、保持体が互いに連結部分を介して連結された独立した複数の保持体片にそれぞれ分離するので、例え第二塗布体がどんなに複雑な形状であっても、第一塗布体の有する保持部となる部分は大きく拡大するので容易に保持させられるものである。その結果、材質の異なる該第一塗布体及び第二塗布体を組み合わせた塗布体を簡易且つ正確に、しかも安価に製造することができるものとなる。特に、塗布体の製造作業における作業効率はより高められて、製造コストを著しく低減させてより安価に製造することができるようになるものである。
【００１４】
そして、第１の特徴又は第２の特徴を踏まえて、第３の特徴として、
上記保持体の第一塗布体及び第二塗布体からなる塗布部の塗布面のうち少なくとも一方の塗布面の全面又は一部にフロッキー処理を施すものである。
【００１５】
そのため、塗布部の塗布面に対して施したフロッキー処理によって、より多くの化粧料や部分美容液を塗布部の塗布面において保持するものとなるので、該塗布体の塗布部の塗布面に保持される化粧料や部分美容液を、より広範囲にわたって、又はより厚く被塗布面に塗布することができるものとなる。
【発明の効果】
【００１６】
本願発明は、塗布部をなす第一塗布体及び第二塗布体を別体とした上で、該第二塗布体を第一塗布体内に有する保持部に保持させるものであるので、材質や形状の異なる塗布体を一体に組み合わせて、簡易且つ正確に、しかも安価に製造することができるとともに、様々な化粧料及び部分美容液を被塗布面に対して適切に塗布することができるようにする優れた効果を有するものである。
【図面の簡単な説明】
【００１７】
【図１】図１は、本願発明の実施例１である塗布体を具える塗布容器の拡大断面図である。
【図２】図２（イ）は、本願発明の実施例１である塗布体を具える塗布容器を構成するキャップの部分断面図、（ロ）は、本願発明の実施例１である塗布体の要部拡大側方部分断面図である。
【図３】図３（イ）は、本願発明の実施例１である塗布体の正面図、（ロ）はその側面図、（ハ）は、その塗布部及び塗布部の変形例のＡ−Ａ断面図である。
【図４】図４は、本願発明の実施例１である塗布体の組み立て工程を示す図である。
【図５】図５（イ）は、本願発明の実施例２である塗布体の正面図、（ロ）はその側面図、（ハ）は、その塗布部のＢ−Ｂ断面図である。
【図６】図６は、本願発明の実施例２である塗布体の組み立て工程を示す図である。
【図７】図７（イ）は、本願発明の実施例３である塗布体の正面図、（ロ）はその側面図、（ハ）は、その塗布部のＣ−Ｃ断面図である。
【図８】図８は、本願発明の実施例３である塗布体の組み立て工程を示す図である。
【図９】図９（イ）は、本願発明の実施例４である塗布体の正面図、（ロ）はその側面図、（ハ）は、その塗布部のＤ−Ｄ断面図である。
【図１０】図１０は、本願発明の実施例４である塗布体の組み立て工程を示す図である。
【発明を実施するための形態】
【００１８】
塗布体を簡易且つ正確に、しかも安価に製造できるようにするとともに、様々な化粧料及び部分美容液を被塗布面に対して適切に塗布できるように、塗布体を、保持部を有する第一塗布部及び軸部よりなる保持体と、別体の第二塗布体とから構成し、該保持体を、少なくとも第一塗布体に有する保持部から軸部の長手方向後端に至るまで分離可能とし、又は連結部分を介して連結され、独立した複数の保持体片に完全に分離可能とするものであって、分離した少なくとも軸部、又は保持体片を一体として、該保持体の第一塗布体の有する保持部内に第二塗布体を保持させるものとすることで実現した。
【実施例１】
【００１９】
図１において示すのは、本願発明の実施例１である塗布体１０を具える塗布容器１である。そして、該塗布容器１は、その内部に液状口紅、リップグロス等の化粧料（以下、「化粧料」という。）３を貯留し、その開口部４では後述する本願発明の実施例１である塗布体１０を保持する保持軸９、又は互いに材質の異なる第一塗布体１３及び第二塗布体１４からなる塗布部１２に密着することによってそれらに過剰に付着した化粧料３を拭い去るシゴキ５を内装するとともに、その外周面には雄ネジ部６を螺設してなる塗布容器本体２と、その開口内周面において前記塗布容器本体２の開口部４の外周面に螺設する雄ネジ部６と螺合して該開口部４を閉塞自在としてなる雌ネジ部８を螺設するものであって、後述する本願発明の実施例１である塗布体１０の軸部１１を保持孔９ｂ内に保持する保持軸９の根元部９ａを嵌合させて一体に固持してなるキャップ７（図２参照）とからなるものである。
【００２０】
なお、上記第一塗布体１３又は第二塗布体１４からなる塗布部１２の少なくともいずれか一方の塗布面１２’、１２”において、その全面又はその一部に対してフロッキー処理を施すことにより、該塗布面１２’、１２”に保持される化粧料３の量は増大するものとなる。その結果、より広範囲に渡って化粧料３を塗布することができるものである（以下、実施例２乃至実施例４においても同様である。）。
【００２１】
そして、本願発明の実施例１である塗布体１０は、図３において示すように、上記保持軸９の保持孔９ｂ内に挿嵌される軸部１１と、該軸部１１と一体に成形される第一塗布体１３と別体の第二塗布体１４よりなり、その表裏面を塗布面１２’、１２”とする塗布部１２とから構成されるものである。具体的には、該塗布体１０は、略涙滴形状の第一塗布体１３及び軸部１１となる保持体１５と、別体であって、該第一塗布体１３内に一体に保持される略涙滴形状の第二塗布体１４とからなるものである。
ここで、該保持体１５は、軟質樹脂、エラストマー又はゴム等の軟質材からなるものであって、一体とすることで略涙滴形状であって、表裏を貫通する保持部１７を有する第一塗布体１３及び軸部１１を形成する互いに連結部分を介して連結される独立した複数の保持体片１５’、１５’からなるものである。さらに、該保持体１５の第一塗布体１３内に形成される保持部１７には、その内周面全周に渡り突条縁１８が内方に向かって突設されているものである。
一方、該第二塗布体１４は、超軟質材又は発泡体からなるものであって、その側周面に沿って全周にわたり凹溝１９が凹設されているものである。
【００２２】
なお、図３（ハ）において示すように、塗布部１２を第一塗布体１３とともになす第二塗布体１４は、該第一塗布体１３において保持された際には、塗布部１２の塗布面１２’、１２”において両面とも凸状となっているものだけでなく、該塗布面１２’、１２”のうち、いずれか一面が凸状とするものや、両塗布面１２’、１２”が凹状としてものでも良いものである。
【００２３】
そこで、本願発明の実施例１である塗布体１０は、図４に示すようにして組み立てられるものとなる。
すなわち、保持体１５は、一体とすることで略涙滴形状であって、表裏を貫通する保持部１７を有する第一塗布体１３及び軸部１１を形成する、互いに連結部分１６を介して連結され、独立した複数の保持体片１５’、１５’からなるものである。その結果、該保持体１５は、互いに連結部分１６を介して連結されたままで保持体片１５’、１５’に分離されるので、一体とすることで第一塗布体１３内に形成される保持部１７内に第二塗布体１４を容易に位置させることができるものである。
そして、完全に互いに分離された保持体片１５’、１５’を閉じる、すなわち完全に分離された保持体片１５’、１５’の軸部１１を保持軸９の保持孔９ｂ内に保持させるため一体として保持体１５とすることによって、該保持体１５の保持部１７の突条縁１８と第二塗布体１４の凹溝１９とが一体に嵌合するものとなる。その結果、第二塗布体１４を第一塗布体１３の保持部１７内に確実に保持することができるものである。従って、保持体１５の第一塗布体１３の保持部１７内において、別体の第二塗布体１４を保持させる塗布体１０を簡易且つ正確に製造することができるものとなる。
特に、第一塗布体１３内に形成される保持部１７に保持される第二塗布体１４が超軟質材又は発泡体であると、従来であれば軟質材である第一塗布体１３と組み合わせて保持軸９に保持することが不可能であったが、第一塗布体１３ないしは第二塗布体１４を損ねることなく塗布体１０とすることができるものとなる。
【００２４】
本願発明の実施例１である塗布体１０は以上のように構成されているので、塗布部１２においては、その表裏面が塗布面１２’、１２”となり、さらに該塗布面１２’又は１２”では、その周囲は軟質材からなる第一塗布体１３とし、その内部は超軟質材又は発泡体からなる第二塗布体１４とするものである。
その結果、まず第一塗布体１３では、断面が曲面を形成し、また先端が鋭くなっていることから化粧料３を正確に、且つ万遍なく塗布することができるものである。
次に、例えば超軟質材からなる第二塗布体１４であっては、肌あたりの質感が向上し、また発泡体からなる第二塗布体１４であっては肌あたりの質感が向上するとともに、発泡体に含まれる化粧料３の量が増大して、化粧料３を広範にわたって、又は厚く塗布することができるものとなる。
【実施例２】
【００２５】
図５に示すものは、本願発明の実施例２である塗布体１０ａであり、該塗布体１０ａは、上記実施例１の塗布体１０と同様に、保持軸９の保持孔９ｂ内に挿嵌される軸部１１ａと、該軸部１１ａと一体に成形される第一塗布体１３ａと別体の第二塗布体１４ａよりなり、その表裏面を塗布面１２ａ’、１２ａ”とする塗布部１２ａとから構成されるものである。
そして、具体的には、該塗布体１０ａは、略涙滴形状の第一塗布体１３ａ及び軸部１１ａよりなる保持体１５ａと、別体であって、該第一塗布体１３ａに一体に保持される球形状の第二塗布体１４ａとからなるものである。
ここで、該保持体１５ａは、軟質樹脂、エラストマー又はゴム等の軟質材からなるものであって、第一塗布体１３ａの有する後述の保持部１７ａから軸部１１ａの長手方向後端に至るまで分離可能とするとともに、該第一塗布体１３ａ内には表裏を貫通する断面円形状の保持部１７ａを形成するものである。さらに、保持体１５ａの第一塗布体１３ａ内に形成される保持部１７ａは、その内周面全周に渡り、後述する球状の第二塗布体１４ａの表面に当接することによって保持してなる保持周縁２０が形成されているものである。
一方、該第二塗布体１４ａは、金属の硬質材からなり、表面が平滑である球状としてなるものである。
【００２６】
なお、保持体１５ａの第一塗布体１４ａ内に形成される保持部１７ａの保持周縁２０において保持される第二塗布体１４ａは球状であって、上述のように該保持周縁２０によって回転不能に保持されるものであるが、第二塗布体１４ａと保持周縁２０との間の摩擦を著しく低減させることによって回転可能に保持するものとしても良いものである。
【００２７】
そこで、本願発明の実施例２である塗布体１０ａは、図７において示すようにして組み立てられるものとなる。
すなわち、保持体１５ａにおいては、第一塗布体１３ａの有する保持部１７ａから軸部１１ａの長手方向後端に至るまで分離するものである。その結果、保持体１５ａは、保持部１７ａから軸部１１ａの長手方向後端に至るまで分離するので隙間が形成されて、球状である第二塗布体１４ａを保持部１７ａ内に容易に挿入、位置させることができるものである。
そして、保持体１５ａにおいて分離した保持体１５ａの軸部１１ａを保持軸９の保持孔９ｂ内に保持させるため一体とすることによって、該保持体１５ａの保持部１７ａの保持周縁２０内に当接して保持するものである。その結果、第二塗布体１４ａを第一塗布体１３ａの保持体１５ａ内に保持することができるものとなる。従って、保持体１５ａの第一塗布体１３ａの保持部１７ａ内において、別体の第二塗布体１４ａを保持させる塗布体１０ａを簡易且つ正確に製造することができるものとなる。
【００２８】
本願発明の実施例２である塗布体１０ａは以上のように構成されているので、塗布部１２ａにおいては、その表裏面が塗布面１２ａ’、１２ａ”となり、さらに該塗布面１２ａ’、１２ａ”では、その周囲は軟質材からなる第一塗布体１３ａとし、その内部は金属等の硬質材からなる第二塗布体１４ａとするものである。
その結果、まず第一塗布体１３ａでは、断面が曲面を形成し、また先端方向に向かって鋭くなるヘラ状となっていることから化粧料３を正確に、且つ万遍なく塗布することができるものである。
次に、例えば金属等の硬質材からなる第二塗布体１４ａであっては、軟質材よりなる第一塗布体１３ａの弾性と相俟って、金属等の硬質材よりなる第二塗布体１４ａを肌に対して適度な弾性をもって密着させることができるものとなる。その結果、第二塗布体１４ａが、例えば硬質材であると、第一塗布体１３ａをなす軟質材の弾性と相俟って適度に押勢することでマッサージ効果が得られるものとなる。さらに、第二塗布体１４ａが例えば金属であると、第一塗布体１３ａをなす軟質材の弾性と相俟って得られるマッサージ効果とともに、金属イオンによる美容効果及び冷却効果が得られるものとなる。
【実施例３】
【００２９】
図７に示すものは、本願発明の実施例３である塗布体１０ｂであり、該塗布体１０ｂは、上記実施例１及び２の塗布体１０、１０ａと同様に、保持軸９の保持孔９ｂ内に挿嵌される軸部１１ｂと、該軸部１１ｂと一体に成形される第一塗布体１３ｂと別体の第二塗布体１４ｂよりなり、その表裏面を塗布面１２ｂ’、１２ｂ”とする塗布部１２ｂとから構成されるものである。
そして、具体的には、該塗布体１０ｂは、略長方形状の第一塗布体１３ｂ及び軸部１１ｂよりなる保持体１５ｂと、別体であり、該第一塗布体１３ｂ内に回転自在に保持される円柱形状の第二塗布体１４ｂとからなるものである。
ここで、該保持体１５ｂは、軟質樹脂、エラストマー又はゴム等の軟質材からなるものであって、一体とすることで表裏を貫通する断面長方形状の保持部１７ｂを有する第一塗布体１３ｂ及び軸部１１ｂを形成する、互いに連結部分１６ｂを介して連結され、独立した複数の保持体片１５ｂ’からなるものである。さらに、該保持体１５ｂの第一塗布体１３ｂ内に形成される保持部１７ｂには、軸方向に対向するように後述する円柱形状の第二塗布体１４ｂにおいて軸方向に突出する回転軸１４ｂ’を遊嵌保持する回転軸孔１７ｂ’が形成されているものである。
一方、該第二塗布体１４ｂは、硬質樹脂又は金属からなるものであって、軸方向に回転軸１４ｂ’が突設されている円柱形状とするものである。
【００３０】
そこで、本願発明の実施例３である塗布体１０ｂは、図８において示すようにして組み立てられるものとなる。
すなわち、保持体１５ｂは、一体とすることで断面直方形状の表裏を貫通する保持部１７ｂを有する第一塗布体１３及び軸部１１を形成する、互いに連結部分１６ｂを介して連結される独立した複数の保持体片１５’、１５’からなるものである。その結果、この保持体１５ｂは保持体片１５ｂ’、１５ｂ’とに分離されるので、円柱形状である第二塗布体１４ｂの軸方向に突設される回転軸１４ｂ’を保持部１７ｂ内の回転軸孔１７ｂ’内に遊嵌するように容易に位置させることができるものである。
そして、完全に互いに分離された保持体片１５ｂ’、１５ｂ’を閉じる、すなわち完全に分離された保持体片１５ｂ’、１５ｂ’の軸部１１ｂを保持軸９の保持孔９ｂ内に保持させるため一体とし、保持体１５ｂとすることによって、該第二塗布体１４ｂの回転軸１４ｂ’は保持部１７ｂの回転軸孔１７ｂ’内に遊嵌されるものである。その結果、第二塗布体１４ｂは第一塗布体１３ｂの保持部１７ｂ内に確実に保持することができるものとなる。従って、保持体１５ｂの第一塗布体１３ｂの保持部１７ｂ内において、別体の第二塗布体１４ｂを回転自在に保持させる塗布体１０ｂを簡易且つ正確に製造することができるものとなる。
【００３１】
本願発明の実施例３である塗布体１０ｂは以上のように構成されているので、塗布部１２ｂにおいては、その表裏面が塗布面１２ｂ’、１２ｂ”となり、さらに該塗布面１２ｂ’、１２ｂ”では、その周囲は軟質材からなる第一塗布体１３ｂとし、その内部は金属等の硬質材からなる回転自在な円柱形状の第二塗布体１４ｂとするものである。
その結果、まず第一塗布部１３ｂでは、断面が曲面を形成し、また全体として長方形状のヘラ状となっていることから化粧料３を正確に、且つ万遍なく、しかも平滑に塗布することができるものである。
次に、例えば硬質樹脂又は金属からなる第二塗布体１４ｂであっては、軟質材よりなる第一塗布体１３ｂの弾性と相俟って、第二塗布体１４ｂを肌に対して回転可能であって、適度な弾性をもって密着させることができるものとなる。その結果、第二塗布体１４ｂが、例えば硬質樹脂や金属であると、第一塗布体１３ｂをなす軟質材の弾性と相俟って適度に回転させながら押勢することでマッサージ効果が得られ、特に第二塗布体１４ｂが金属であると、第一塗布体１３ｂをなす軟質材の弾性と相俟って得られるマッサージ効果とともに、金属イオンによる美容効果や冷却効果が得られるものとなる。
【実施例４】
【００３２】
図９に示すものは、本願発明の実施例４である塗布体１０ｃであり、該塗布体１０ｃは、上記実施例１乃至３の塗布体１０、１０ａ、１０ｂと同様に、保持軸９の保持孔９ｂ内に挿嵌される軸部１１ｃと、該軸部１１ｃと一体に成形される塗布部１２ｃとから構成されるものである。
そして、具体的には、軸方向に中空である孔の保持部１７ｃを有する略長方体形状の第一塗布体１３ｃ及び軸部１１ｃよりなる保持体１５ｃと、別体であり、該第一塗布体１３ｃの先端より突出してなる筆である第二塗布体１４ｃとからなるものである。
ここで、該保持体１５ｃは、軟質樹脂、エラストマー又はゴム等の軟質材からなるものであって、第一塗布体１３ｃの有する後述の保持部１７ｃの係止スリット１７ｃ’から軸部１１ｃの長手方向後端に至るまで分離可能とするとともに、該第一塗布体１３ｃ内には軸方向に貫通する孔状である保持部１７ｃを形成するものである。さらに、保持体１５ｃの第一塗布体１３ｃ内に形成される保持部１７ｃは、内部に後述する第二塗布体１４ｃを収容するように、断面略長方形状の孔であって、その後端において後述する筆である第二塗布体１４ｃの末端の係止縁１４ｃ’が係止する係止スリット１７ｃ’が配設されるものである。
一方、該第二塗布体１４ｃは、繊維の方向を揃えてなる繊維束からなる筆であって、その後端には外方に向かって突出し、前記保持部１７ｃの係止スリット１７ｃ’に係止する係止縁１４ｃ’が外方に向かって突出するように突設しているものである。
【００３３】
そこで、本願発明の実施例４である塗布体１０ｃは、図１０において示すようにして組み立てられるものとなる。
すなわち、保持体１５ｃにおいては、第一塗布体１３ｃの有する保持部１７ｃの係止スリット１７ｃ’から軸部１１ｃの長手方向後端に至るまで分離するものである。その結果、保持体１５ｃは、保持部１７ｃの該係止スリット１７ｃ’から軸部１１ｃの長手方向後端に至るまで分離するので、隙間が形成されて、筆である第二塗布体１４ｃの先端を第一塗布体１３ｃより突出させるように保持部１７ｃ内へ容易に挿入することができるものである。
そして、保持体１５ａにおいては、第一塗布体１３ｃの有する保持部１７ｃから軸部１１ｃの長手方向後端に至るまで分離した保持体１５ｃの軸部１１ｃを保持軸９の保持孔９ｂ内に保持すべく一体とすることによって、該第二塗布体１４ｃである筆は第一塗布体１３ｃの先端より突出するとともに、該第二塗布体１４ｃである筆の後端に形成される係止縁１４ｃ’が保持部１７ｃの係止スリット１７ｃ’と係止するものとなる。その結果、第二塗布体１４ｃを第一塗布体１３ｃの保持部１７ｃ内に保持することができる。従って、保持体１５ｃの第一塗布体１３ｃの保持部１７ｃ内において、別体の第二塗布体１４ｃである筆を保持させる塗布体１０ｃを簡易且つ正確に製造することができるものとなる。
【００３４】
本願発明の実施例４である塗布体１０ｃは以上のように構成されているので、塗布部１２ｃにおいては、第一塗布体１３ｃはその表裏面が軟質材からなる塗布面１２ｃ’、１２ｃ”となり、さらに該第一塗布体１３ｃの先端では筆である第二塗布体１４ｃが突出するものである。
その結果、まず第一塗布体１３ｃでは、断面が曲面を形成し、また全体として長方形状となっていることから化粧料３を正確に、且つ万遍なく、しかも平滑に塗布することができるものである。
次に、筆である第二塗布体１４ｃであっては、柔軟に、しかも細かく変形するものとなるので、被塗布面に対する線塗りや面塗りを適切に塗布することができるものである。
【符号の説明】
【００３５】
１    塗布容器
２    塗布容器本体
３    化粧料
４    開口部
５    シゴキ
６    雄ネジ部
７    キャップ
８    雌ネジ部
９    保持軸
９ａ    根元部
９ｂ    保持孔
１０、１０ａ、１０ｂ、１０ｃ    塗布体
１１、１１ａ、１１ｂ、１１ｃ    軸部
１２、１２ａ、１２ｂ、１２ｃ    塗布部
１２’、１２ａ’、１２ｂ’、１２ｃ’    塗布面
１２”、１２ａ”、１２ｂ”、１２ｃ”    塗布面
１３、１３ａ、１３ｂ、１３ｃ    第一塗布体
１４、１４ａ、１４ｂ、１４ｃ    第二塗布体
１４ｂ’    回転軸
１４ｃ’    係止縁
１５、１５ａ、１５ｂ、１５ｃ    保持体
１５’１５ｂ’    保持体片
１６、１６ｂ    連結部分
１７、１７ａ、１７ｂ、１７ｃ    保持部
１７ｂ’    回転軸孔
１７ｃ’    係止スリット
１８    突条縁
１９    凹溝
２０    保持周縁
【図１】
2014124224.tif 000003
【図２】
2014124224.tif 000004
【図３】
2014124224.tif 000005
【図４】
2014124224.tif 000006
【図５】
2014124224.tif 000007
【図６】
2014124224.tif 000008
【図７】
2014124224.tif 000009
【図８】
2014124224.tif 000010
【図９】
2014124224.tif 000011
【図１０】
2014124224.tif 000012